(57)【要約】【課題】下り高速パケット伝送を行う無線通信システムにおいて、報告値を補正する装置を適応的に可変制御し、適切なＭＣＳ選択を行うこと。【解決手段】ハンドオーバ制御部１０３は、受信電力信号に基づいて各通信端末装置についてハンドオーバを行うかどうかを判定し、判定結果を示す信号をＣＱＩ生成方法選択部１０４に出力する。ＣＱＩ生成方法選択部１０４は、所定の情報を入力し、各通信端末装置、各基地局装置についてＣＱＩ生成方法（ＣＱＩを補正するか否か）を管理し、各通信端末装置、各基地局装置に対してＣＱＩ生成方法を示す信号を通知する。また、ＣＱＩ生成方法選択部１０４は、ハンドオーバ状態である通信端末装置及び当該通信端末装置の次に通信相手となる基地局装置に対して、ハンドオーバ後におけるＣＱＩ生成方法信号を通知する。【選択図】        図３
2004186969.tif 000002
【特許請求の範囲】
【請求項１】
通信端末装置が下り回線の受信品質を示す報告値を生成して基地局装置に報告し、前記基地局装置が前記報告値を参照してデータ送信先の通信端末装置を決定し、前記報告値を参照して変調方式、符号化率及びコード多重数を設定して前記データ送信先の通信端末装置に送信する無線通信システムに用いられる制御局装置であって、
所定の判断基準に従って、前記報告値を補正する装置を選択する選択手段と、この選択手段にて選択された内容を示す信号を前記基地局装置及び前記通信端末装置に通知する送信手段を具備することを特徴とする制御局装置。
【請求項２】
判断基準は、（１）基地局装置、通信端末装置の能力、（２）通信端末装置、基地局装置の処理負荷、（３）サービスの種類、（４）ネットワーク制御方針のいずれか少なくとも１つであることを特徴とする請求項１記載の制御局装置。
【請求項３】
選択手段は、所定の判断基準に従って、再送回数に基づく補正値を算出する装置を決定し、前記送信手段は、前記選択手段にて決定された内容を示す信号を基地局装置及び通信端末装置に通知することを特徴とする請求項１又は請求項２記載の制御局装置。
【請求項４】
通信端末装置から送信された下り回線の受信品質を示す報告値を受信する受信手段と、上り回線の伝搬環境を示す指標を測定する測定手段と、請求項１又は請求項２記載の制御局装置から報告値の補正を指示された場合、前記伝搬環境を示す指標に基づいて前記報告値を補正する報告値補正手段と、前記報告値補正手段から出力された報告値に基づいてデータ送信先の通信端末装置を決定する送信先決定手段と、前記報告値補正手段から出力された報告値に基づいて変調方式、符号化率及びコード多重数を設定するＭＣＳ選択手段と、設定された変調方式、符号化率及びコード多重数で前記データ送信先の通信端末装置にデータを送信する送信手段を具備することを特徴とする基地局装置。
【請求項５】
請求項３記載の制御局装置から再送回数に基づく補正値の算出を指示された場合に補正値を算出する補正値算出手段を具備し、前記報告値補正手段は、前記補正値に基づいて前記報告値をさらに補正することを特徴とする請求項４記載の基地局装置。
【請求項６】
下り回線の伝搬環境を示す指標を測定する測定手段と、下り回線の受信品質を示す報告値を生成する報告値生成手段と、前記報告値を基地局装置に送信する送信手段を具備し、
前記報告値生成手段は、請求項１又は請求項２記載の制御局装置から報告値の補正を指示された場合、前記伝搬環境を示す指標に基づいて前記生成した報告値を補正することを特徴とする通信端末装置。
【請求項７】
請求項３記載の制御局装置から再送回数に基づく補正値の算出を指示された場合、補正値を算出する補正値算出手段を具備し、前記報告値生成手段は、前記報告値を前記補正値にて補正することを特徴とする請求項６記載の通信端末装置。
【請求項８】
通信端末装置が下り回線の受信品質を示す報告値を生成して基地局装置に報告し、前記基地局装置が前記報告値を参照してデータ送信先の通信端末装置を決定し、前記報告値を参照して変調方式、符号化率及びコード多重数を設定して前記データ送信先の通信端末装置に送信する無線通信システムに用いられる報告値補正方法であって、
制御局装置が所定の判断基準に従って前記報告値を補正する装置を選択し、基地局装置あるいは通信端末装置が、前記制御局装置の決定に従って伝搬環境を示す指標を測定し、下り回線の受信品質を示す報告値を測定結果に基づいて補正することを特徴とする報告値補正方法。
【請求項９】
制御局装置が、基地局装置にて報告値を補正することを決定した場合、
前記通信端末装置は、静特性環境下において所定の受信性能を達成可能なように報告値を生成して基地局装置に報告し、
前記基地局装置は、伝搬環境を示す指標を測定し、その測定結果に基づく伝搬環境下において前記通信端末装置が所定品質を得られるように前記報告値を補正することを特徴とする請求項８記載の報告値補正方法。
【請求項１０】
制御局装置が、通信端末装置にて報告値を補正することを決定した場合、
前記通信端末装置は、静特性環境下において所定の受信性能を達成可能なように報告値を生成し、伝搬環境を示す指標を測定し、その測定結果に基づく伝搬環境下において前記通信端末装置が所定品質を得られるように前記報告値を補正することを特徴とする請求項８記載の報告値補正方法。
【発明の詳細な説明】
【０００１】
【発明の属する技術分野】
本発明は、下り高速パケット伝送を行う無線通信システムに用いられる制御局装置、基地局装置、通信端末装置及び報告値補正方法に関する。
【０００２】
【従来の技術】
無線通信の分野では、高速大容量な下りチャネルを複数の通信端末装置が共有し、基地局装置から通信端末装置にパケットを伝送する下り高速パケット伝送方式が開発されている。下り高速パケット伝送方式では、伝送効率を高めるために、スケジューリング技術及び適応変調技術が用いられている。
【０００３】
スケジューリング技術とは、基地局装置がタイムスロット毎に下り高速パケットの送信先となる通信端末装置（以下、「送信先装置」という）を設定し、送信先装置に送信するパケットを割り当てる技術である。また、適応変調技術とは、パケット送信する通信端末装置の伝搬路の状態に応じて適応的にＭＣＳ（Ｍｏｄｕｌａｔｉｏｎ  ａｎｄ  Ｃｏｄｉｎｇ  Ｓｃｈｅｍｅ）選択すなわち変調方式、符号化率及びコード多重数の決定を行う技術である。
【０００４】
また、高速パケット伝送を行う無線通信システムでは、データの受信性能の向上を図るためにＡＲＱ（Ａｕｔｏｍａｔｉｃ  Ｒｅｐｅａｔ  Ｒｅｑｕｅｓｔ）、特に、Ｈ−ＡＲＱ（Ｈｙｂｒｉｄ−Ａｕｔｏｍａｔｉｃ  Ｒｅｐｅａｔ  Ｒｅｑｕｅｓｔ）が用いられている。ＡＲＱとは、受信側装置で誤りが検出されたデータ単位（フレーム）を送信側装置が再送信する処理を自動的に行う技術であり、Ｈ−ＡＲＱは、送信側装置が再送時に特定のビットのみを選択して受信側装置に送信し、受信側装置において再送信号と既受信信号とを合成する技術である。
【０００５】
以下、高速パケット伝送を行う無線通信システムの基地局装置及び通信端末装置の動作について概説する。
【０００６】
基地局装置は、各通信端末装置から送信された下り回線の受信品質の報告値に基づいて、最も回線品質が良い通信端末装置を送信先装置として、各タイムスロットにその送信先装置へのパケットを割り当てる。そして、基地局装置は、スケジューリング結果を示す情報、スケジューリングおよびＭＣＳ選択により定めた方式で誤り訂正符号化及び変調されたパケットを送信先装置に送信する。なお、送信先端末の選択方法として、当該端末装置に対する送信データ量、平均スループットなどを考慮する方法もある。
【０００７】
各通信端末装置は、受信したスケジューリング結果を示す情報に基づいて、自局宛のパケットが割り当てられたタイムスロットにおいて復調を行い、ＣＲＣ検出等を行って、パケットデータを正しく復調できた場合にはこれを示すＡＣＫ信号を、パケットデータを正しく復調できなかった場合にはこれを示すＮＡＣＫ信号を基地局装置に送信する。
【０００８】
基地局装置は、ＡＣＫ信号を受信すると新規データを送信し、ＮＡＣＫ信号を受信するとＡＲＱ手順に従いデータを再送信する。
【０００９】
このように、下り高速パケット伝送方式は、セクタ内に存在する全ての通信端末装置で１つのチャネルを共有して効率的にパケットを伝送するので、コードリソースおよびパワリソースを有効活用することができる。
【００１０】
従来の下り高速パケット伝送を行う無線通信システムでは、通信端末装置が、共通制御チャネル等のＣＩＲ（Ｃａｒｒｉｅｒ  ｔｏ  Ｉｎｔｅｒｆｅｒｅｎｃｅ  Ｒａｔｉｏ）や受信電力に基づき、下り高速パケット伝送を行うチャネルについて所要品質（例えば、ブロックエラーレートが１０−１以下）を達成可能な伝送レートを選択し、選択結果を示す報告値を基地局装置に送信している。
【００１１】
ただし、ＣＩＲは、必ずしも変調方式の復調特性を反映しておらず、特に、１６ＱＡＭ等の符号間距離が小さい多値変調方式の場合、復調特性が遅延プロファイルの特性によっても大きく影響される。具体的には、ＣＩＲが等しい場合であっても遅延プロファイルに現れるパス数が多いほど、あるいは、遅延広がり（ｄｅｌａｙ  ｓｐｒｅａｄ）が大きいほど一般的に復調特性が劣化し、受信性能（例えば、ＢＬＥＲ（Ｂｌｏｃｋ  Ｅｒｒｏｒ  Ｒａｔｅ））が劣化してしまう。また、伝搬遅延が大きくなるほどパス数が多くなり、遅延広がりが大きくなる傾向にあり、同様に受信性能が劣化してしまう。また、フェージング変動速度が速いほど同様に受信性能が劣化してしまう。
【００１２】
そこで、下り回線の受信品質に基づいて生成した報告値を、伝搬環境を考慮して補正し、ＭＣＳ選択を行うことが考えられる。伝搬環境を考慮した報告値の補正方法として、以下の２つが挙げられる。
【００１３】
（１）通信端末装置が、下り回線のパス数や遅延広がり等を測定し、その伝搬環境下において所定の受信性能（例えば、ＢＬＥＲ＝０．１）を達成可能なように報告値を生成し、基地局装置に報告する。基地局装置は、通信端末装置から報告される報告値に基づいてＭＣＳ選択を行う。すなわち、通信端末装置が、伝搬環境を考慮して報告値を補正する。なお、通信端末装置は、下り回線のパス数や遅延広がり等を測定し、さらに自らの復調性能を考慮してもよい。
【００１４】
（２）通信端末装置が、下り回線のパス数や遅延広がりを考慮せず静特性環境下において所定の受信性能を達成可能なように報告値を生成し、基地局装置に報告する。基地局装置は、上り回線のパス数や遅延広がり等を測定し、通信端末装置から報告される報告値を、測定結果に基づいて補正してＭＣＳ選択を行う。すなわち、基地局装置が、伝搬環境を考慮して報告値を補正する。
【００１５】
従来のシステムでは、（１）あるいは（２）のどちらか一方の方法を固定的に適用することが考えられていた。
【００１６】
【非特許文献１】
”３ＧＰＰ  ＴＳ  ２５．２１４  Ｖ５．１．０（２００２−０６）”
【００１７】
【発明が解決しようとする課題】
ここで、（２）の方法の場合は、下りと上りの伝搬環境がマルチパス数やフェージング変動速度などにおいて同等であると仮定する（間接的に下りの伝搬環境を知る）ことになるため、通信端末装置が下りの伝搬環境を直接測定して報告値を補正する（１）の方法の方が、より正確に伝搬環境を反映したＭＣＳ選択を行うことができる。
【００１８】
一方、（１）の方法では、通信端末装置に伝搬環境の考慮機能を持たせるので、通信端末装置の小型化、消費電力の低減という要求に反することになる。
【００１９】
従って、（１）、（２）の方法は、それぞれ一長一短であり、報告値を補正する装置を固定とすると、通信端末装置の能力差や機能拡張に柔軟に対応できなくなってしまうという問題がある。
【００２０】
また、伝搬環境を示す指標を測定する機能を持つ基地局装置とその機能を持たない基地局装置が混在するシステムでは、ハンドオーバ等で基地局装置および通信端末装置の機能分担を変更するなどの柔軟な対応が必要となる。
【００２１】
本発明はかかる点に鑑みてなされたものであり、報告値を補正する装置を適応的に可変制御することができ、適切なＭＣＳ選択を行うことができる制御局装置、基地局装置、通信端末装置及び報告値補正方法を提供することを目的とする。
【００２２】
【課題を解決するための手段】
本発明の制御局装置は、通信端末装置が下り回線の受信品質を示す報告値を生成して基地局装置に報告し、前記基地局装置が前記報告値を参照してデータ送信先の通信端末装置を決定し、前記報告値を参照して変調方式、符号化率及びコード多重数を設定して前記データ送信先の通信端末装置に送信する無線通信システムに用いられる制御局装置であって、所定の判断基準に従って、前記報告値を補正する装置を選択する選択手段と、この選択手段にて選択された内容を示す信号を前記基地局装置及び前記通信端末装置に通知する送信手段を具備する構成を採る。
【００２３】
本発明の制御局装置における判断基準は、（１）基地局装置、通信端末装置の能力、（２）通信端末装置、基地局装置の処理負荷、（３）サービスの種類、（４）ネットワーク制御方針のいずれか少なくとも１つである構成を採る。
【００２４】
これらの構成により、制御局装置において、所定の判断基準に基づいて、基地局装置あるいは通信端末装置のどちらが報告値を補正するのか、あるいは、いずれの装置も補正しないのかを決定することができるので、報告値を補正する装置を適応的に可変制御することができ、適切なＭＣＳ選択を行うことができる。
【００２５】
本発明の制御局装置における選択手段は、所定の判断基準に従って、再送回数に基づく補正値を算出する装置を決定し、前記送信手段は、前記選択手段にて決定された内容を示す信号を基地局装置及び通信端末装置に通知する構成を採る。
【００２６】
この構成により、制御局装置において、所定の判断基準に基づいて、基地局装置あるいは通信端末装置のどちらがアウターループ制御を行うのか、あるいは、いずれの装置も制御しないのかを決定することができるので、アウターループ制御を行う装置を適応的に可変制御することができ、適切なＭＣＳ選択を行うことができる。
【００２７】
本発明の基地局装置は、通信端末装置から送信された下り回線の受信品質を示す報告値を受信する受信手段と、上り回線の伝搬環境を示す指標を測定する測定手段と、上記制御局装置から報告値の補正を指示された場合、前記伝搬環境を示す指標に基づいて前記報告値を補正する報告値補正手段と、前記報告値補正手段から出力された報告値に基づいてデータ送信先の通信端末装置を決定する送信先決定手段と、前記報告値補正手段から出力された報告値に基づいて変調方式、符号化率及びコード多重数を設定するＭＣＳ選択手段と、設定された変調方式、符号化率及びコード多重数で前記データ送信先の通信端末装置にデータを送信する送信手段を具備する構成を採る。
【００２８】
この構成により、制御局装置から報告値を補正することを指示された場合のみ、伝搬環境を示す指標を測定して報告値を補正することができるので、適切なＭＣＳ選択を行うことができる。
【００２９】
本発明の基地局装置は、上記制御局装置からから再送回数に基づく補正値の算出を指示された場合、補正値を算出する補正値算出手段を具備し、前記報告値補正手段は、前記補正値に基づいて前記報告値をさらに補正する構成を採る。
【００３０】
この構成により、制御局装置から伝搬環境を示す指標を測定することを指示された場合のみアウターループ制御を行い、さらに報告値を補正することができるので、適切なＭＣＳ選択を行うことができる。
【００３１】
本発明の通信端末装置は、下り回線の伝搬環境を示す指標を測定する測定手段と、下り回線の受信品質を示す報告値を生成する報告値生成手段と、前記報告値を基地局装置に送信する送信手段を具備し、前記報告値生成手段は、上記制御局装置から報告値の補正を指示された場合、前記伝搬環境を示す指標に基づいて前記生成した報告値を補正する構成を採る。
【００３２】
この構成により、制御局装置から報告値を補正することを指示された場合のみ、伝搬環境を示す指標を測定して報告値を補正することができ、基地局装置において適切なＭＣＳ選択を行うことができる。
【００３３】
本発明の通信端末装置は、上記制御局装置から再送回数に基づく補正値の算出を指示された場合、補正値を算出する補正値算出手段を具備し、前記報告値生成手段は、前記報告値を前記補正値にて補正する構成を採る。
【００３４】
この構成により、制御局装置からアウターループ制御を行うことを指示された場合のみ、アウターループ制御を行い、さらに報告値を補正することができるので、基地局装置において適切なＭＣＳ選択を行うことができる。
【００３５】
本発明の報告値補正方法は、通信端末装置が下り回線の受信品質を示す報告値を生成して基地局装置に報告し、前記基地局装置が前記報告値を参照してデータ送信先の通信端末装置を決定し、前記報告値を参照して変調方式、符号化率及びコード多重数を設定して前記データ送信先の通信端末装置に送信する無線通信システムに用いられる報告値補正方法であって、制御局装置が所定の判断基準に従って前記報告値を補正する装置を選択し、基地局装置あるいは通信端末装置が、前記制御局装置の決定に従って伝搬環境を示す指標を測定し、下り回線の受信品質を示す報告値を測定結果に基づいて補正する方法をとる。
【００３６】
本発明の報告値補正方法は、制御局装置が、基地局装置にて報告値を補正することを決定した場合、前記通信端末装置は、静特性環境下において所定の受信性能を達成可能なように報告値を生成して基地局装置に報告し、前記基地局装置は、伝搬環境を示す指標を測定し、その測定結果に基づく伝搬環境下において前記通信端末装置が所定品質を得られるように前記報告値を補正する方法をとる。
【００３７】
本発明の報告値補正方法は、制御局装置が、通信端末装置にて報告値を補正することを決定した場合、前記通信端末装置は、静特性環境下において所定の受信性能を達成可能なように報告値を生成し、伝搬環境を示す指標を測定し、その測定結果に基づく伝搬環境下において前記通信端末装置が所定品質を得られるように前記報告値を補正する方法をとる。
【００３８】
これらの方法により、制御局装置において、所定の判断基準に基づいて、基地局装置あるいは通信端末装置のどちらが報告値を補正するのか、あるいは、いずれの装置も補正しないのかを決定することができるので、報告値を補正する装置を適応的に可変制御することができ、適切なＭＣＳ選択を行うことができる。
【００３９】
【発明の実施の形態】
本発明の骨子は、制御局装置において、（１）基地局装置、通信端末装置の能力、（２）通信端末装置、基地局装置の処理負荷、（３）サービスの種類、（４）ネットワーク制御方針等、所定の判断基準に基づいて、基地局装置あるいは通信端末装置のどちらが報告値を補正するのか、あるいは、いずれの装置も補正しないのかを決定することである。
【００４０】
以下、本発明の実施の形態について、添付図面を参照して詳細に説明する。なお、以下の説明では、下り高速パケット伝送方式の例として、ＨＳＤＰＡ（ＨｉｇｈＳｐｅｅｄ  Ｄｏｗｎｌｉｎｋ  Ｐａｃｋｅｔ  Ａｃｃｅｓｓ）を用いることとする。ＨＳＤＰＡでは、ＨＳ−ＰＤＳＣＨ（Ｈｉｇｈ  Ｓｐｅｅｄ  −  Ｐｈｙｓｉｃａｌ  Ｄｏｗｎｌｉｎｋ  Ｓｈａｒｅｄ  Ｃｈａｎｎｅｌ）、ＨＳ−ＳＣＣＨ（Ｓｈａｒｅｄ  Ｃｏｎｔｒｏｌ  Ｃｈａｎｎｅｌ  ｏｆ  ＨＳ−ＰＤＳＣＨ）、Ａ−ＤＰＣＨ（Ａｓｓｏｃｉａｔｅｄ  Ｄｅｄｉｃａｔｅｄ  Ｐｈｙｓｉｃａｌ  Ｃｈａｎｎｅｌ  ｆｏｒ  ＨＳ−ＰＤＳＣＨ）等の複数のチャネルが用いられる。
【００４１】
ＨＳ−ＰＤＳＣＨは、パケットの伝送に使用される下り方向の共有チャネルでる。ＨＳ−ＳＣＣＨは、下り方向の共有チャネルであり、リソース割り当てに関する情報（ＴＦＲＩ：Ｔｒａｎｓｐｏｒｔ−ｆｏｒｍａｔ  ａｎｄ  Ｒｅｓｏｕｒｃｅ  ｒｅｌａｔｅｄ  Ｉｎｆｏｒｍａｔｉｏｎ）、Ｈ−ＡＲＱ制御に関する情報等が伝送される。
【００４２】
Ａ−ＤＰＣＨは、上り方向及び下り方向の個別付随チャネルであり、そのチャネル構成やハンドオーバ制御等はＤＰＣＨと変わらない。Ａ−ＤＰＣＨでは、パイロット信号、ＴＰＣコマンド等が伝送される。上り方向では、ＡＣＫ／ＮＡＣＫ信号、ＣＱＩ（Ｃｈａｎｎｅｌ  Ｑｕａｌｉｔｙ  Ｉｎｄｉｃａｔｏｒ）信号を伝送するためのＨＳ−ＤＰＣＣＨがＡ−ＤＰＣＨに多重される。
【００４３】
なお、ＣＱＩ信号は、ＣＩＲに基づいて推定した下り回線状態において所要品質を達成可能なＭＣＳの組み合わせを通信端末装置から基地局装置に報告する信号であり、通信端末装置と基地局装置は、図１に示すような、ＣＱＩ信号（ＣＱＩ  ｖａｌｕｅ）と、トランスポートブロックサイズ（ＴＢ  ｓｉｚｅ）、パケットデータのマルチコード数（Ｎｕｍｂｅｒ  ｏｆ  ＨＳ−ＰＤＳＣＨ）及び変調方式（Ｍｏｄｕｌａｔｉｏｎ）、送信電力のオフセット等の組み合わせとを対応づけたＣＱＩテーブルを共有している。通信端末装置は、所要品質を達成可能なＭＣＳをＣＱＩテーブルから選択し報告する。基地局装置は、ＣＱＩ信号に基づいてＭＣＳ選択を行う。この場合、符号化率の変更は、誤り訂正符号化後の冗長ビットのパンクチャ率を変更することによって実行される。
【００４４】
（実施の形態１）
図２は、本発明の実施の形態１のシステム構成図である。なお、本実施の形態では、伝搬環境を示す指標としてパス数を用いる。
【００４５】
図２において、制御局（ＲＮＣ）１００は、複数の基地局装置（ＮｏｄｅＢ）２００と有線接続し、各基地局装置２００は、複数の通信端末装置（ＵＥ）３００と無線通信を行う。なお、以下の説明では、制御局装置１００が２つの基地局装置２００と有線接続し、各基地局装置２００が３つの通信端末装置３００と無線通信を行う場合を想定する。
【００４６】
次に、制御局装置１００の構成について図３のブロック図を用いて説明する。
【００４７】
受信信号処理部１０１は、接続する基地局装置の数だけ用意され、通信端末装置３００から送信され、基地局装置２００にて復号された信号を入力し、この信号をネットワーク網で伝送するに適した状態に処理し、分離部１０２に出力する。
【００４８】
分離部１０２は、接続する基地局装置の数だけ用意され、受信信号処理部１０１の出力信号からデータと制御信号を分離する。データは、ネットワーク網に出力される。分離部１０２にてデータと分離された制御信号の中には、通信端末装置３００が測定した周辺基地局装置の共通制御チャネルの受信電力を示す信号（以下、「受信電力信号」という）等が含まれる。
【００４９】
ハンドオーバ制御部１０３は、受信電力信号に基づいて各通信端末装置についてハンドオーバを行うかどうかを判定し、判定結果を示す信号をＣＱＩ生成方法選択部１０４に出力する。
【００５０】
ＣＱＩ生成方法選択部１０４は、所定の情報を入力し、各通信端末装置、各基地局装置についてＣＱＩ生成方法（ＣＱＩを補正するか否か）を管理し、各通信端末装置、各基地局装置に対してＣＱＩ生成方法を示す信号（以下、「ＣＱＩ生成方法信号」という）を通知する。また、ＣＱＩ生成方法選択部１０４は、ハンドオーバ状態である通信端末装置及び当該通信端末装置の次に通信相手となる基地局装置に対して、ハンドオーバ後におけるＣＱＩ生成方法信号を通知する。なお、ＣＱＩ生成方法選択部１０４の管理方法の詳細については後述する。
【００５１】
多重部（ＭＵＸ）１０５は、接続する基地局装置の数だけ用意され、ネットワーク網からの入力信号にＣＱＩ生成方法信号を多重して、送信信号処理部１０６に出力する。送信信号処理部１０６は、接続する基地局装置の数だけ用意され、多重部１０５の出力信号を基地局装置で伝送するに適した状態に処理し、多重部１０７に出力する。
【００５２】
多重部１０７は、接続する基地局装置の数だけ用意され、送信信号処理部１０６の出力信号にパケット伝送用制御信号及びＨＳ−ＳＣＣＨのＡ−ＤＰＣＨに対する送信電力のオフセット値を示すオフセット信号等を多重して基地局装置２００に出力する。
【００５３】
次に、基地局装置２００の構成について図４のブロック図を用いて説明する。基地局装置２００は、各端末装置に送信するための個別データ、パケットデータ、パケット伝送用制御信号、オフセット信号及びＣＱＩ生成方法信号を制御局装置１００から入力する。また、基地局装置２００は、接続中の通信端末装置から無線送信された信号を受信する。
【００５４】
共用器（ＤＵＰ）２０２は、アンテナ２０１に受信された信号を受信ＲＦ部２０３に出力する。また、共用器２０２は、送信ＲＦ部２６６から出力された信号をアンテナ２０１から無線送信する。
【００５５】
受信ＲＦ部２０３は、共用器２０２から出力された無線周波数の受信信号をベースバンドのディジタル信号に変換し、復調部２０４に出力する。
【００５６】
復調部２０４は、無線通信を行う通信端末装置の数だけ用意され、受信ベースバンド信号に対して逆拡散、ＲＡＫＥ合成、誤り訂正復号等の復調処理を行い、分離部２０５に出力する。また、復調部２０４は、逆拡散の際に作成する遅延プロファイルに現れ、ＲＡＫＥ合成に用いるために選択された上り回線のパスの数を計数し、上り回線のパス数を示す信号（以下、「上りパス数情報信号」という）をスケジューラ２５１に出力する。なお、パスの選択方法として以下のものが一般に知られている。（１）遅延プロファイルにおいて最大レベルのものから順にレベルが所定の窓幅内に入るタイミングをパスとして選択する。（２）遅延プロファイルにおいて最大レベルのタイミングの前後の所定の窓幅内に入り、かつ所定のレベル以上のタイミングをパスとして選択する。（３）遅延プロファイルにおいて所定のレベル以上のものを除いた平均値を雑音レベルとし、雑音レベルと所定の値との加算値より大きいレベルのタイミングをパスとして選択する。
【００５７】
分離部２０５は、復調部２０４の出力信号をデータと制御信号とに分離する。分離部２０５にて分離された制御信号には、ＤＬ（Ｄｏｗｎ  Ｌｉｎｋ）用ＴＰＣコマンド、ＣＱＩ信号、ＡＣＫ／ＮＡＣＫ信号、受信電力信号等が含まれる。ＣＱＩ信号及びＡＣＫ／ＮＡＣＫ信号はスケジューラ２５１に出力され、ＤＬ用ＴＰＣコマンドは送信電力制御部２５８に出力され、データ及び受信電力信号は制御局装置１００に出力される。
【００５８】
ＳＩＲ測定部２０６は、無線通信を行う通信端末装置の数だけ用意され、復調の過程で測定される希望波レベル及び干渉波レベルによって上り回線の受信ＳＩＲを測定し、ＳＩＲを示す信号をＴＰＣコマンド生成部２０７に出力する。
【００５９】
ＴＰＣコマンド生成部２０７は、無線通信を行う通信端末装置の数だけ用意され、上り回線の受信ＳＩＲと目標ＳＩＲとの大小関係により、上り回線の送信電力の増減を指示するＵＬ（Ｕｐ  Ｌｉｎｋ）用ＴＰＣコマンドを生成する。
【００６０】
スケジューラ２５１は、各通信端末装置からのＣＱＩ信号及びパケット伝送用制御信号等に基づいてパケットを送信する通信端末装置（以下、「送信先装置」という）を決定し、送信先装置を示す情報をバッファ（Ｑｕｅｕｅ）２５２に出力する。その際、スケジューラ２５１は、ＡＣＫ信号を入力した場合には新しいデータを送信するように、ＮＡＣＫ信号を入力した場合には前回送信したデータを再送するようにバッファ２５２に指示する。また、スケジューラ２５１は、送信先装置のＣＱＩ信号等に基づいてＭＣＳ選択を行い、変調部２５３に変調方式、符号化率等を指示する。また、スケジューラ２５１は、パケットデータの送信電力を決定する際に参照となる信号を送信電力制御部２５４に出力する。なお、本発明においてはパケットデータの送信電力制御方法に制限はなく、パケットデータの送信電力制御を行わなくとも良い。また、スケジューラ２５１は、ＨＳ−ＳＣＣＨによって送信先装置に送信する信号（以下、「ＨＳ−ＳＣＣＨ用信号」という）を増幅部２６１に出力する。ＨＳ−ＳＣＣＨ用信号には、パケットデータを送信するタイミング、パケットデータの符号化率及び変調方式等を示す情報（ＴＦＲＩ）が含まれる。なお、スケジューラ２５１の内部構成の詳細については後述する。
【００６１】
バッファ２５２は、スケジューラ２５１に指示された送信先装置に対するパケットデータを変調部２５３に出力する。
【００６２】
変調部２５３は、スケジューラ２５１の指示に従ってパケットデータに対して誤り訂正符号化、変調及び拡散を行って増幅部２５５に出力する。
【００６３】
送信電力制御部２５４は、増幅部２５５の増幅量を制御することにより、変調部２５３の出力信号の送信電力を制御する。増幅部２５５の出力信号は、ＨＳ−ＰＤＳＣＨで送信される信号であって、多重部２６５に出力される。
【００６４】
多重部２５６は、無線通信を行う通信端末装置の数だけ用意され、各通信端末装置に送信する個別データ（制御信号も含む）にパイロット信号及びＵＬ用ＴＰＣコマンドを多重して変調部２５７に出力する。
【００６５】
変調部２５７は、無線通信を行う通信端末装置の数だけ用意され、多重部２５６の出力信号に対して誤り訂正符号化、変調及び拡散を行って増幅部２５９に出力する。
【００６６】
送信電力制御部２５８は、無線通信を行う通信端末装置の数だけ用意され、ＤＬ用ＴＰＣコマンドに従って増幅部２５９の増幅量を制御することにより、変調部２５７の出力信号の送信電力を制御する。また、送信電力制御部２５８は、送信電力値を示す信号を送信電力制御部２６０に出力する。増幅部２５９にて増幅された信号は、ＤＰＣＨ（Ａ−ＤＰＣＨを含む）で送信される信号であって、多重部２６５に出力される。
【００６７】
送信電力制御部２６０は、送信電力制御部２５８の送信電力値にオフセットをつけた値で増幅部２６１の増幅量を制御することにより、スケジューラ２５１から出力されたＨＳ−ＳＣＣＨ用信号の送信電力を制御する。増幅部２６１にて増幅された信号は、ＨＳ−ＳＣＣＨで送信される信号であって、多重部２６５に出力される。なお、送信電力制御部２６０は、再送状態等によりオフセット値を補正してもよい。
【００６８】
変調部２６２は、共通制御データに対して誤り訂正符号化、変調及び拡散を行って増幅部２６４に出力する。送信電力制御部２６３は、増幅部２６４の増幅量を制御することにより、変調部２６２の出力信号の送信電力を制御する。増幅部２６４の出力信号は、ＣＰＩＣＨ等で送信される信号であって、多重部２６５に出力される。
【００６９】
多重部２６５は、増幅部２５５、増幅部２５９、増幅部２６１及び増幅部２６４の各出力信号を多重し、送信ＲＦ部２６６に出力する。
【００７０】
送信ＲＦ部２６６は、多重部２６５から出力されたベースバンドのディジタル信号を無線周波数の信号に変換して共用器２０２に出力する。
【００７１】
次に、基地局装置２００のスケジューラ２５１の内部構成について、図５のブロック図を用いて説明する。
【００７２】
スケジューラ２５１は、ＣＱＩ補正部２７１と、送信先決定部２７２と、ＭＣＳ決定部２７３と、送信電力決定部２７４と、ＨＳ−ＳＣＣＨ用信号生成部２７５とから主に構成される。
【００７３】
ＣＱＩ補正部２７１は、ＣＱＩ生成方法信号が基地局装置にてＣＱＩの補正を行う旨を示すものであれば、上りパス数情報に基づいてＣＱＩ信号に対し補正を行う。
【００７４】
具体的には、ＣＱＩ補正部２７１は、予め設定された閾値とパス数との大小比較（閾値判定）を行い、パス数が閾値以上の場合、マルチパス伝搬路環境の影響が大きいと仮定して、補正対象の通信端末装置からのＣＱＩ信号が示す値にオフセットを付け、より低いＣＱＩ値とする。
【００７５】
例えば、基地局装置１００に保持されているＣＱＩテーブルが図１であり、ＣＱＩ信号が「７」、パス数が閾値以上であった場合、ＣＱＩ信号「４」に対応するＭＣＳ選択を行う。
【００７６】
一方、ＣＱＩ生成方法信号が基地局装置ではＣＱＩの補正を行わない旨を示すものである場合、あるいは、基地局装置にてＣＱＩの補正を行う旨を示すものであって、パス数が閾値未満の場合、補正対象の通信端末装置のＣＱＩ信号が示す値のままとする。
【００７７】
送信先決定部２７２は、パケット伝送用制御信号よりパケットを送信する候補となる各通信端末装置を選択し、選択した各通信端末装置からの補正後のＣＱＩ信号に基づいて送信先装置を決定する。例えば、ＣＱＩ信号に基づいて受信品質が最も良い通信端末装置を送信先装置として決定する。そして、送信先決定部２７２は、送信先装置を示す情報をバッファ２５２、ＭＣＳ決定部２７３、送信電力決定部２７４及びＨＳ−ＳＣＣＨ用信号生成部２７５に出力する。また、送信先決定部２７２は、ＡＣＫ信号を入力した場合には新しいデータを送信するように、ＮＡＣＫ信号を入力した場合には前回送信したデータを再送するようにバッファ２５２に指示する。
【００７８】
ＭＣＳ決定部２７３は、送信先装置のＭＣＳ選択（変調方式及び符号化率の決定）を行い、変調部２５３に指示する。
【００７９】
送信電力決定部２７４は、ＣＱＩ信号、ＡＣＫ／ＮＡＣＫ信号、基地局装置の総送信電力等に基づいて送信先装置のＨＳ−ＰＤＳＣＨの送信電力を決定し、決定した送信電力を示す信号を送信電力制御部２５４に出力する。
【００８０】
ＨＳ−ＳＣＣＨ用信号生成部２７５は、送信先装置に送信するＨＳ−ＳＣＣＨ用信号を生成し、増幅部２６１に出力する。
【００８１】
次に、通信端末装置３００の構成について図６のブロック図を用いて説明する。通信端末装置３００基地局装置２００から個別データ、共通制御データ、パケットデータ、ＨＳ−ＳＣＣＨ用信号を受信する。
【００８２】
共用器３０２は、アンテナ３０１に受信された信号を受信ＲＦ部３０３に出力する。また、共用器３０２は、送信ＲＦ部３５８から出力された信号をアンテナ３０１から無線送信する。
【００８３】
受信ＲＦ部３０３は、共用器３０２から出力された無線周波数の受信信号をベースバンドのディジタル信号に変換し、ＨＳ−ＰＤＳＣＨの信号をバッファ３０４に出力し、ＨＳ−ＳＣＣＨ用信号を復調部３０５に出力し、ＤＰＣＨの信号を復調部３０８に出力し、共通制御チャネルの信号をＣＩＲ（Ｃａｒｒｉｅｒ  ｔｏ  Ｉｎｔｅｒｆｅｒｅｎｃｅ  Ｒａｔｉｏ）測定部３１３にする。
【００８４】
バッファ３０４は、ＨＳ−ＰＤＳＣＨの信号を一時的に保存して復調部３０６に出力する。
【００８５】
復調部３０５は、ＨＳ−ＳＣＣＨ用信号に対して逆拡散、ＲＡＫＥ合成、誤り訂正復号等の復調処理を行い、自局宛パケットデータの到来タイミング、当該パケットデータの符号化率及び変調方式等、パケットデータの復調に必要な情報を取得して復調部３０６に出力する。
【００８６】
復調部３０６は、復調部３０５にて取得された情報に基づいてバッファに保存されているＨＳ−ＰＤＳＣＨの信号に対して逆拡散、ＲＡＫＥ合成、誤り訂正復号等の復調処理を行い、復調処理によって得られたパケットデータを誤り検出部３０７に出力する。
【００８７】
誤り検出部３０７は、復調部３０６から出力されたパケットデータに対して誤り検出を行い、誤りが検出されなかった場合にはＡＣＫ信号を、誤りが検出されなかった場合にはＮＡＣＫ信号を多重部３５１に出力する。
【００８８】
復調部３０８は、ＤＰＣＨの信号に対して逆拡散、ＲＡＫＥ合成、誤り訂正復号等の復調処理を行い、分離部３０９に出力する。また、復調部３０８は、逆拡散の際に作成する遅延プロファイルに現れ、ＲＡＫＥ合成に用いるために選択された下り回線のパスの数を計数し、下り回線のパス数を示す信号（以下、「下りパス数情報信号」という）をＣＱＩ生成部３１４に出力する。
【００８９】
分離部３０９は、復調部３０８の出力信号をデータと制御信号とに分離する。分離部３０９にて分離された制御信号には、ＵＬ用ＴＰＣコマンド、ＣＱＩ生成方法信号等が含まれる。ＵＬ用ＴＰＣコマンドは送信電力制御部３５７に出力され、ＣＱＩ生成方法信号はＣＱＩ生成部３１４に出力される。
【００９０】
ＳＩＲ測定部３１０は、復調の過程で測定される希望波レベル及び干渉波レベルによって下り回線の受信ＳＩＲを測定し、測定した受信ＳＩＲをＴＰＣコマンド生成部３１１に出力する。
【００９１】
ＴＰＣコマンド生成部３１１は、ＳＩＲ測定部３１０から出力された受信ＳＩＲと目標ＳＩＲとの大小関係によりＤＬ用ＴＰＣコマンドを生成し、多重部３５４に出力する。
【００９２】
ＣＩＲ測定部３１３は、基地局装置からの共通制御チャネルの信号を用いてＣＩＲを測定し、測定結果をＣＱＩ生成部３１４に出力する。
【００９３】
ＣＱＩ生成部３１４は、ＣＩＲ等に基づいて下り高速パケット伝送を行うチャネルについて所要品質を達成可能な伝送レートを選択し、選択結果を示すＣＱＩ信号を生成して多重部３５１に出力する。その際、ＣＱＩ生成方法信号が、通信端末装置にてＣＱＩの補正を行う旨を示すものであれば、ＣＩＲに基づいてＣＱＩ信号を生成し、下りパス数情報に基づいてＣＱＩ信号を補正する。
【００９４】
具体的には、ＣＱＩ生成部３１４は、予め設定された閾値とパス数との大小比較（閾値判定）を行い、パス数が閾値以上の場合、マルチパス伝搬路環境の影響が大きいと仮定して、ＣＩＲに基づくＣＱＩ値にオフセットを付け、より低いＣＱＩ値とする。
【００９５】
例えば、基地局装置１００に保持されているＣＱＩテーブルが図１であり、ＣＩＲに基づくＣＱＩ値が「７」、パス数が閾値以上であった場合、ＣＱＩ値を「４」にする。
【００９６】
一方、ＣＱＩ生成方法信号が通信端末装置ではＣＱＩの補正を行わない旨を示すものである場合、あるいは、通信端末装置にてＣＱＩの補正を行う旨を示すものであって、パス数が閾値未満の場合、ＣＱＩ生成部３１４は、ＣＩＲに基づくＣＱＩ値のままとする。
【００９７】
受信電力測定部３１５は、周辺基地局装置からの共通制御チャネルの受信電力を示す受信電力を測定して、受信電力信号を多重部３５１に出力する。
【００９８】
多重部３５１は、ＣＱＩ信号、受信電力信号及びＡＣＫ／ＮＡＣＫ信号を多重して変調部３５２に出力する。変調部３５２は、多重部３５１の出力信号に対して誤り訂正符号化、変調及び拡散を行って多重部３５６に出力する。
【００９９】
変調部３５３は、基地局装置２００に送信するデータに対して誤り訂正符号化、変調及び拡散を行って多重部３５６に出力する。
【０１００】
多重部３５４は、ＤＬ用ＴＰＣコマンド、パイロット信号を多重して変調部３５５に出力する。変調部３５５は、多重部３５４の出力信号に対して誤り訂正符号化、変調及び拡散を行って多重部３５６に出力する。
【０１０１】
多重部３５６は、変調部３５２、変調部３５３及び変調部３５５の各出力信号を多重し、送信ＲＦ部３５８に出力する。
【０１０２】
送信電力制御部３５７は、ＵＬ用ＴＰＣコマンドに従って送信ＲＦ部３５８の増幅量を制御することにより、多重部３５６の出力信号の送信電力を制御する。なお、複数の基地局装置と接続している場合、送信電力制御部３５７は、全てのＵＬ用ＴＰＣコマンドが送信電力の上昇を指示する場合のみ送信電力を上昇させる制御を行う。
【０１０３】
送信ＲＦ部３５８は、多重部３５６から出力されたベースバンドのディジタル信号を増幅し、無線周波数の信号に変換して共用器３０２に出力する。
【０１０４】
次に、制御局装置１００のＣＱＩ生成方法選択部１０４の管理方法について、図７を用いて詳細に説明する。図７に示すように、ＣＱＩ生成方法選択部１０４は、基地局情報として、接続する各基地局装置の番号と、パス数を測定する能力を有するか否かを管理し、端末情報として、各基地局装置と通信中の通信端末装置の番号と、パス数を測定する能力を有するか否か、送信データのサービスの種類（ＱｏＳ：Ｑｕａｌｉｔｙ  ｏｆ  Ｓｅｒｖｉｃｅ）、通信状態を管理する。なお、図７において、能力の欄の「○」はパス数を測定する能力を有することを示し、「×」はパス数を測定する能力を有しないことを示す。また、送信データのトラヒックの種類としてｃｏｎｖｅｒｓａｔｉｏｎａｌ（図７「Ｃ」）、ｓｔｒｅａｍｉｎｇ（図７「Ｓ」）、ｉｎｔｅｒａｃｔｉｖｅ（図７「Ｉ」）、ｂａｃｋｇｒｏｕｎｄ（図７「Ｂ」）等が挙げられる。これらのトラヒックに応じて送信ビットレート、許容遅延などのＱｏＳパラメータが設定されている。通信状態の欄の「Ｎｏｒｍａｌ」は通常の１対１の通信を示し、「ＨＯ」はハンドオーバ状態を示す。
【０１０５】
そして、ＣＱＩ生成方法選択部１０４は、（１）基地局装置、通信端末装置の処理能力、（２）通信端末装置、基地局装置の処理負荷、（３）サービスの種類、（４）ネットワーク制御方針等、所定の判断基準に基づいて、基地局装置あるいは通信端末装置のどちらがＣＱＩを補正するのか、あるいは、いずれの装置も補正しないのかを決定する。また、ＣＱＩ生成方法選択部１０４は、ハンドオーバ状態である通信端末装置及び当該通信端末装置の次に通信相手となる基地局装置に対して、ハンドオーバ後にどちらがＣＱＩを補正するのか、あるいは、いずれの装置も補正しないのかを決定する。
【０１０６】
図７において、ＣＱＩ補正の欄、次のＣＱＩ補正の欄の「ＭＳ」は通信端末装置がＣＱＩを補正することを示し、「ＢＳ」は基地局装置がＣＱＩを補正することを示し、「×」はどちらの装置もＣＱＩを補正しないことを示す。
【０１０７】
例えば、図７において、ＭＳ＃１のサービスの種類はデータの遅延を許容するものであり、再送が許されるので、ＣＱＩ生成方法選択部１０４は、ＭＣＳ選択の精度をそれほど上げる必要がないとしてＣＱＩを補正しない（ＣＱＩ補正の欄「×」）ように決定する。また、ＭＳ＃２はＣＱＩを補正する能力が無く、これと通信中のＢＳ＃１はＣＱＩを補正する能力があるので、ＣＱＩ生成方法選択部１０４は、基地局装置がＣＱＩを補正する（ＣＱＩ補正の欄「ＢＳ」）ように決定する。また、ＭＳ＃３はＣＱＩを補正する能力があり、これと通信中のＢＳ＃１にもＣＱＩを補正する能力があり、ＢＳ＃１の処理負荷が大きい（ＣＱＩ補正の数が閾値以上である）ので、ＣＱＩ生成方法選択部１０４は、通信端末装置がＣＱＩを補正する（ＣＱＩ補正の欄「ＭＳ」）ように決定する。
【０１０８】
また、ＭＳ＃４はハンドオーバ状態であり、ＭＳ＃４はＣＱＩを補正する能力があり、次に通信を行うＢＳ＃２にはＣＱＩを補正する能力がないので、ＣＱＩ生成方法選択部１０４は、ハンドオーバ後には通信端末装置がＣＱＩを補正する（次のＣＱＩ補正の欄「ＭＳ」）ように決定する。
【０１０９】
そして、ＣＱＩ生成方法選択部１０４は、ＣＱＩ補正の欄の情報をＣＱＩ生成方法信号として出力する。ＣＱＩ生成方法信号は、多重部１０５、信号処理部１０７を介して各基地局装置に通知され、更に、各基地局装置を介して各通信端末装置に通知される。
【０１１０】
なお、ＣＱＩ生成方法選択部１０４に入力される情報として、（１）基地局装置、通信端末装置の能力を示す情報、（２）基地局装置、通信端末装置の処理負荷を示す情報、（３）送信データのサービスの種類、（４）ネットワーク制御方針等が挙げられる。また、管理テーブルを更新するタイミングとしては、（１）通信端末装置の起動時、（２）ハンドオーバ時、（３）サービスの種類の変更時、（４）ネットワーク制御方針の変更時等が挙げられる。
【０１１１】
このように、本実施の形態では、制御局装置において、所定の判断基準に基づいて、基地局装置あるいは通信端末装置のどちらがＣＱＩを補正するのか、あるいは、いずれの装置も補正しないのかを決定することにより、ＣＱＩを補正する装置を適応的に可変制御することができ、適切なＭＣＳ選択を行うことができる。
【０１１２】
（実施の形態２）
実施の形態２では、実施の形態１で説明した伝搬環境を考慮してのＣＱＩ値の補正に加えて、ＡＣＫ／ＮＡＣＫに基づくアウターループ制御によりＣＱＩ値を補正するものである。
【０１１３】
本実施の形態では、図３に示した制御局装置１００のＣＱＩ生成方法選択部１０４が、上記図７の管理テーブルの内容に加えて、図８に示すように、基地局情報として、接続する各基地局装置の番号と、アウターループ制御を行う能力を有するか否かを管理し、端末情報として、各基地局装置と通信中の通信端末装置の番号と、アウターループ制御を行う能力を有するか否か、送信データのサービスの種類（ＱｏＳ）、通信状態を管理する。
【０１１４】
そして、実施の形態１と同様に、所定の判断基準に基づいて、基地局装置あるいは通信端末装置のどちらがアウターループ制御を行うのか、あるいは、いずれの装置も制御しないのかを決定する。また、ＣＱＩ生成方法選択部１０４は、ハンドオーバ状態である通信端末装置及び当該通信端末装置の次に通信相手となる基地局装置に対して、ハンドオーバ後にどちらがアウターループ制御を行うのか、あるいは、いずれの装置も制御しないのかを決定する。
【０１１５】
そして、ＣＱＩ生成方法選択部１０４は、図７に示したパス数測定の欄の情報に加えてアウターループの欄の情報をＣＱＩ生成方法信号として出力する。
【０１１６】
図９は、本実施の形態に係る基地局装置のスケジューラの内部構成を示すブロック図である。なお、図９に示すスケジューラにおいて、図５と共通する構成部分には、図５と同一符号を付して説明を省略する。
【０１１７】
図９に示すスケジューラは、図５に補正値算出部４０１を追加した構成を採る。補正値算出部４０１は、ＣＱＩ生成方法信号が、アウターループ制御を基地局装置にて行う旨を示すものであれば、ＡＣＫ／ＮＡＣＫ信号に基づいて補正値を算出する。具体的には、補正値算出部４０１は、ＮＡＣＫ信号を連続して受信した回数が大きいほど補正値を大きくする。
【０１１８】
ＣＱＩ補正部２７１は、ＣＱＩ信号が示す値にパス数情報に基づくオフセットを付け、更に補正値によって、より低いＣＱＩ値とする。
【０１１９】
図１０は、本実施の形態に係る通信端末装置の構成を示すブロック図である。なお、図１０に示す通信端末装置において、図６と共通する構成部分には、図６と同一符号を付して説明を省略する。
【０１２０】
図１０に示す通信端末装置は、図６に補正値算出部５０１を追加した構成を採る。補正値算出部５０１は、ＣＱＩ生成方法信号が、アウターループ制御を通信端末装置にて行う旨を示すものであれば、ＡＣＫ／ＮＡＣＫ信号に基づいて補正値を算出する。具体的には、補正値算出部５０１は、ＮＡＣＫ信号を連続して受信した回数が大きいほど補正値を大きくする。
【０１２１】
ＣＱＩ生成部３１４は、ＣＩＲに基づくＣＱＩ値にオフセットを付け、更に補正値によって、より低いＣＱＩ値とする。
【０１２２】
このように、本実施の形態では、制御局装置において、所定の判断基準に基づいて、基地局装置あるいは通信端末装置のどちらがアウターループ制御を行うのか、あるいは、いずれの装置も制御しないのかを決定することにより、アウターループ制御を行う装置を適応的に可変制御することができ、適切なＭＣＳ選択を行うことができる。
【０１２３】
なお、上記各実施の形態では、伝搬環境を示す指標としてパス数を用いて説明したが、本発明はこれに限られず、パス数の代わりに遅延プロファイルの特性の１つである遅延広がり、伝搬遅延時間を用いても良い。遅延広がりについては、”笹岡秀一編著、移動通信（オーム社）”等に詳細に説明されている。また、本発明では、フェージング変動速度等の他の伝搬路状態に基づいて変調方式等を制御することもできる。
【０１２４】
また、ＦＤＤ方式においては上り／下りのリンクのキャリア周波数が異なるため、フェージング変動は独立であるが、平均的な電力遅延プロファイルの相関は高いと予想されるので、ＦＤＤ方式においても、上り回線のパス数／遅延広がりなどの遅延プロファイルの特性を考慮してＭＣＳ選択を行うことができる。
【０１２５】
また、本発明において、制御局装置が、報告値を補正する装置を示す信号を出力しない場合には、常に、通信端末装置が報告値を補正するような構成としてもよい。
【０１２６】
【発明の効果】
以上説明したように、本発明によれば、制御局装置において、所定の判断基準に基づいて、ＣＱＩを補正する装置、アウターループ制御を行う装置を適応的に可変制御することができるので、適切なＭＣＳ選択を行うことができる。
【図面の簡単な説明】
【図１】ＣＱＩテーブルの一例を示す図
【図２】本発明の実施の形態１のシステム構成図
【図３】上記実施の形態に係る制御局装置の構成を示すブロック図
【図４】上記実施の形態に係る基地局装置の構成を示すブロック図
【図５】上記実施の形態に係る基地局装置のスケジューラの内部構成を示すブロック図
【図６】上記実施の形態に係る通信端末装置の構成を示すブロック図
【図７】上記実施の形態に係る制御局装置のＣＱＩ生成方法選択部が有する管理テーブルを示す図
【図８】本発明の実施の形態２に係る制御局装置のＣＱＩ生成方法選択部が有する管理テーブルを示す図
【図９】上記実施の形態に係る基地局装置のスケジューラの内部構成を示すブロック図
【図１０】上記実施の形態に係る通信端末装置の構成を示すブロック図
【符号の説明】
１０３  ハンドオーバ制御部
１０４  ＣＱＩ生成方法選択部
２５１  スケジューラ
２７２  送信先決定部
２７３  ＭＣＳ決定部
３１４  ＣＱＩ生成部
４０１、５０１  補正値算出部
【図１】
2004186969.tif 000003
【図２】
2004186969.tif 000004
【図３】
2004186969.tif 000005
【図４】
2004186969.tif 000006
【図５】
2004186969.tif 000007
【図６】
2004186969.tif 000008
【図７】
2004186969.tif 000009
【図８】
2004186969.tif 000010
【図９】
2004186969.tif 000011
【図１０】
2004186969.tif 000012